(57)【要約】      （修正有）【課題】首上に耐摩耗性等の耐久性を付与し、洗濯の都度、取り外す必要がなく、型崩れし難い構造にした装束の首上を提供する。【解決手段】首上２１は、装束１の襟部分に設けられると共に、紐部材を掛け合わすことによりリング状となって首を囲むように着用される。樹脂からなる横長薄板状の型板と、樹脂からなる横長シート状の貼合シートとが粘着剤を介して重ね合わせられることにより芯材が形成され、芯材が装束１の布片１１によって覆われる。この装束１は、これをリング状にする際に、型板と貼合シートとを相互にずらした状態で、綴糸を通すことにより、相互のずれを固定して仕立てられる。【選択図】図２
0003109273.tif 000002
【実用新案登録請求の範囲】
【請求項１】
装束の襟部分に設けられると共に、紐部材を掛け合わすことによりリング状となって首を囲むように着用される首上であって、
樹脂からなる横長薄板状の型板と、樹脂からなる横長シート状の貼合シートとが粘着剤を介して重ね合わせられることによって芯材が形成されており、この芯材が前記装束の布片によって覆われていることを特徴とする装束の首上。
【請求項２】
前記首上は、これをリング状にする際に、前記型板と貼合シートとを相互にずらした状態で綴糸を通すことにより、相互のずれを固定して仕立てられていることを特徴とする請求項１に記載の装束の首上。
【請求項３】
前記型板及び貼合シートのいずれか一方または双方が低発泡樹脂によって形成されていることを特徴とする請求項１または２に記載の装束の首上。
【考案の詳細な説明】
【技術分野】
【０００１】
本考案は、神主等が着用する装束の襟部分を構成する首上に関する。
【背景技術】
【０００２】
神主等が着用する装束は、古来より伝承された伝統的衣服であり、束帯、衣冠、直衣、狩衣などと称される衣服の総称であって、今日、神社神職の服装となっている。このような装束は、伝統的に神宮の境内において着用される他、祭事でも着用され、首周りを丸首にして立ち上げ、首上と称する部位を形成している。この首上は装束に用いる布片によって芯材を覆った構造となっており、芯材としては従前より厚紙が用いられている。また、首上には、受緒及びとんぼからなる紐部材が取り付けられており、これらの受緒及びとんぼを掛け合わすことによりリング状態が維持されるようになっている。因みに、首周りを丸首にして襟を構成する技術としては、特開２００１―４９５０８号公報に襟部材をストレッチ素材で構成するシャツが開示されている。
【特許文献１】特開２００１―４９５０８号公報
【考案の開示】
【考案が解決しようとする課題】
【０００３】
従来の首上では、芯材として厚紙が使用されているため、汗に弱く、且つ、芯材が摩耗し易く耐久性が小さい問題を有している。また、洗濯の際には、芯材を逐一取り外し、その後に再度取り付ける必要があり、極めて面倒なものとなっている。さらに、芯材として厚紙をリング状にしているので、厚紙が折れることによる型崩れが生じ、取り扱いが難しいものとなっていた。
本考案は、このような問題点を考慮してなされたものであり、汗に強く、耐摩耗性等の耐久性があり、しかも洗濯の都度、芯材を取り外す必要がなく、型崩れし難い首上を提供することを目的とする。
【課題を解決するための手段】
【０００４】
請求項１記載の考案は、装束の襟部分に設けられると共に、紐部材を掛け合わすことによりリング状となって首を囲むように着用される首上であって、樹脂からなる横長薄板状の型板と、樹脂からなる横長シート状の貼合シートとが粘着剤を介して重ね合わせられることによって芯材が形成されており、この芯材が前記装束の布片によって覆われていることを特徴とする。
【０００５】
請求項２記載の考案は、請求項１に記載の首上であって、前記首上が、これをリング状にする際に、前記型板と貼合シートとを相互にずらした状態で、綴糸を通すことにより、相互のずれを固定して仕立てられていることを特徴とする。
請求項３記載の考案は、請求項１または２に記載の首上であって、前記型板及び貼合シートのいずれか一方または双方が低発泡樹脂によって形成されていることを特徴とする。
【考案の効果】
【０００６】
本考案によれば、共に樹脂からなる型板と貼合シートとによって芯材が形成されるため、摩耗が小さく、長期間使用することができる。また、耐水が良好なものとなることから、汗で汚れ難く、且つ、洗濯の都度、芯材を取り外す必要がなくなる。このような芯材で、首上を形成した場合には、芯材が折れることがないので型崩れし難い首上となる。
【０００７】
本考案では、首上の芯材を構成する型板及び貼合シートが粘着剤によって重ね合わされている。これにより、首上をリング状としたときに型板及び貼合シートが相互にずれるが、この相互のずれ状態を綴糸で固定して仕立てられるものである。このような型板及び貼合シートの相互のずれが維持された状態は、首上をリング状に保持することができ、出来映えが良いものとなる。
【考案を実施するための最良の形態】
【０００８】
図１は本考案が適用された装束１の斜視図、図２は装束１の展開図、図３は本考案の一実施形態における首上を成形するための工程図であり、図４〜図７は装束の部品を示し、図８は装束を作製する工程を示す。
【０００９】
装束１は神主等が神事の際に着用するものであり、前身頃２と後身頃３とが連設されることにより、着用者の肩部を覆うようになっている。前身頃２及び後身頃３は、裏地４及び上布５を重ね合わせることにより作製される。図４は上布５を、図５は裏地４を示し、共に着用者の首が挿入される襟孔４ａ，５ａが開口されており、この襟孔４ａ，５ａにはスリット（切り込み）４ｂ、５ｂが設けられている。スリット４ｂ、５ｂには、図６及び図７に示す下前衽６及び上前衽７が縫合されることによりスリット４ｂ、５ｂが閉じられるようになっている（図１参照）。
【００１０】
次に、装束１の作製を図８により説明する。同図（ａ）で示すように、裏地４上に上布５を重ね合わせる。この重ね合わせは、それぞれの襟孔４ａ，５ａが相互に一致すると共に、スリット４ｂ、５ｂが相互に一致するように行う。この重ね合わせの後、裏地４及び上布５を縫糸８によって縫い合わせる。縫い合わせは、対向する長辺に対して行う。
【００１１】
図８（ｂ）は、下前衽６を取り付ける工程であり、下前衽６は一方の端部がＺ状に折り畳まれており、この折り畳み部分に裏地４および上布５のスリット側部分を差し込み、差し込んだ部分を縫糸８ａによって縫い付ける。この縫い付けにより、下前衽６は、スリット部分からさらに上前１０の下方で重なり合うように取り付けられる。因みに、上前１０は上布５の前部分（図１参照）で左前で着用される装束１の左側部分である。
【００１２】
図８（ｃ）は、上前衽７を取り付ける工程であり、上前衽７は下前衽６と同様に一方の端部がＺ状に折り畳まれており、この折り畳み部分に裏地４および上布５のスリット側部分を差し込み、差し込んだ部分を縫糸８ｂによって縫い付ける。この縫い付けにより、上前衽７は、スリット部分からさらに下前１１の上方で重なり合うように取り付けられる。この上前衽７は下前衽６と重なり合った状態となって前身頃２の中央部分を覆うようになる。
【００１３】
図１及び図２に示すように、首上２１は装束１の襟部分に設けられるものであり、全体がリング状となっている。これにより、装束１を着用したときに着用者の首を囲むようになっている。リング状に巻回された首上２１は、内側重なり部２１ａに対して外側重なり部２１ｂが重なり合った状態となり、この重なり部分が前身頃２の中央に位置するようになっている。
【００１４】
内側重なり部２１ａに近接した部位には、受緒２２が取り付けられ、外側重なり部２１ｂにはとんぼ２３が取り付けられる。これらの受緒２２及びとんぼ２３は、相互に掛け合わされる紐部材を構成するものであり、受緒２２は基端部が内側重なり部２１ａに近接した部位に縫い付けられた状態で先端部が外側重なり部２１ｂまで延びており、とんぼ２３は外側重なり部２１ｂの内側面に縫い付けらる。そして、とんぼ２３を受緒２２の先端部分に挿入して掛け合わせる。これにより、首上２１をリング状態に維持することができる。
【００１５】
首上２１の形成手順を図３により説明する。図３（ａ）は装束１を展開した状態を示したものであり、首上布１１が横長状となっている。首上布１１の下部には裏地４、上布５、下前衽６及び上前衽７が縫い付けられている。この場合、下前衽６の上端部分は、首上２１の内側重なり部２１ａ（図２参照）に縫い付けられ、上前衽７は首上２１の外側重なり部２１ｂに縫い付けられる。
【００１６】
図３（ｂ）で示すように、貼合シート２７を首上布１１の表面上に載置する。貼合シート２７は、その表面に粘着剤が塗布されており、粘着剤が塗布されていない裏面を首上布１１の上面に当接させるように載置する。貼合シート２７は、横長シート状の樹脂によって形成されており、その幅（図３における上下方向の長さ）は後述する型板２６よりも広い寸法となっている。また、貼合シート２７は首上布１１の内方に位置するように首上布１１に載置されるものであり、貼合シート２７の周囲には、首上布１１が４周方向にはみ出た状態となっている。
尚、図中、網掛けで示した重なり部分１５は、装束１の襟孔部分であり、首上布１１が、上布５、裏地４、下前衽６、上前衽７に縫合されて重なりあっている部分である。
【００１７】
図３（ｃ）は、貼合シート２７に型板２６を重ね合わせた状態を示す。型板２６の重ね合わせは、貼合シート２７の表面に対して行う。貼合シート２７の表面には、粘着剤が塗布されているため、型板２６及び貼合シート２７は粘着剤の粘着力によって接合状態となるが、粘着剤を介しての重ね合わせのため、これらは相互にずれ移動可能となる。なお、この場合、型板２６の表面にも粘着剤が塗布される。
【００１８】
型板２６は、貼合シート２７と同様に樹脂によって成形されるものであり、横長板状となっている。型板２６の長さは貼合シート２７と略同等となっているが、その幅（図３における上下方向の長さ）は貼合シート２７の幅よりも小さく、約半分程度の寸法となっている。これにより、型板２６を貼合シート２７の下半分に重ね合わせると、貼合シート２７の上半分が表面に露出した状態となる。この状態で、貼合シート２７の上部には、首上布１１が延びているので、これを内側に折畳み、貼合シート２７の上方部分（図中、斜線部分）に貼り付ける。
これにより、貼合シート２７の上縁は、首上布１１で覆われた上縁部分１１ａとなっている。
【００１９】
図３（ｄ）は、首上布１１の左右両端部１１ｂ、１１ｂを内側に折畳み、貼合シート２７を型板２６の上縁付近で内側に折り曲げたことを示したものである。このとき、型板２６の表面には、粘着剤が塗布されているため、折り畳まれた首上布１１の上部は、粘着力によって型板２６の表面にある程度保持される。そして、この状態で、首上布１１で覆われた上縁部分１１ａと、重なり部分１５とを糸で縫い合わせる。これにより、貼合シート２７及び型板２６からなる芯材２５が首上布１１によって覆われた状態となる。
【００２０】
その後、受緒２２及びとんぼ２３の縫い付けを行う。受緒２２及びとんぼ２３の縫い付けは、首上２１をリング状にして、型板２６及び貼合シート２７を相互にずらした状態で、綴糸を通すことにより、相互のずれを固定して仕立てられる。このような型板及び貼合シートの相互のずれが維持された状態は、首上をリング状に保持することができる。
【００２１】
本実施の形態では、芯材２５を構成する型板２６及び貼合シート２７が共に樹脂によって形成されているため、摩耗が小さく、長期間使用することができると共に、耐水が良好なものとなり、汗で汚れ難く、且つ、洗濯の都度、芯材２５を取り外す必要がなくなる。また、展開状態からリング状態への変更を繰り返し行っても芯材２５がへたることがなく、常に良好なリング形状を保持することができる。かかる樹脂としては、ポリエチレン、ポリプロピレン等のポリオレフィンを用いた低発泡樹脂が良好であり、これにより軽量化及び繰り返し使用への耐久性を向上させることが可能となる。
【００２２】
また、上述したように、芯材２５を構成する型板２６及び貼合シート２７が粘着剤によって接合されるものであり、これらが固定されることなく、製作段階で、相互にずれ移動することが可能となっている。このようにずれ移動が可能となっていることにより、首上をリング状としたときに型板２６及び貼合シート２７が相互にずれることができる。そして、首上をリング状とすることにより、型板２６及び貼合シート２７を相互にずらし、綴糸で固定して仕立てられる。このような型板及び貼合シートの相互のずれが維持された状態は、首上をリング状に保持する。よって、出来映えが良いものとなる。
【図面の簡単な説明】
【００２３】
【図１】本考案の一実施形態が適用された装束の斜視図である。
【図２】装束における首上部分の展開図である。
【図３】（ａ）〜（ｄ）は首上を組み立てる手順を示す展開図である。
【図４】上布の正面図である。
【図５】裏地の正面図である。
【図６】下前衽及び裏地の縫い合わせ状態を示す斜視図である。
【図７】上前衽及び上布の縫い合わせ状態を示す斜視図である。
【図８】（ａ）〜（ｃ）は装束を縫い付ける手順を示す正面図である。
【符号の説明】
【００２４】
１  装束
２  前身頃
３  後身頃
４  裏地
５  上布
６  下前衽
７  上前衽
２１  首上
２２  受緒
２３  とんぼ
２５  芯材
２６  型板
２７  貼合シート
【図１】
0003109273.tif 000003
【図２】
0003109273.tif 000004
【図３】
0003109273.tif 000005
【図４】
0003109273.tif 000006
【図５】
0003109273.tif 000007
【図６】
0003109273.tif 000008
【図７】
0003109273.tif 000009
【図８】
0003109273.tif 000010